【事件の表示】
　特許第３２２２２６２号「口紅落とし用洗浄剤」の請求項１ないし４に係る特許に対する特許異議の申立てについて、次のとおり決定する。
【結　論】
　特許第３２２２２６２号の請求項１ないし４に係る特許を維持する。
【理　由】
１．本件発明
　特許第3222262号の請求項1〜4に係る発明は、平成5年4月20日（特願平5-117787号）の出願であって、平成13年8月17日にその特許権の設定登録がされたものである。
　
２．異議申立の概要
　特許異議申立人村田　博は、甲第1号証〜甲第5号証を提出し、本件請求項1に係る発明は、甲第１号証刊行物に記載された発明であるから、請求項１に係る発明の特許は特許法第29条第1項第3号に規定する発明に対してされたものであり、また、請求項1〜４に係る発明は甲第１号証〜甲第5号証刊行物に記載された発明に基づいて当業者が容易に発明をすることができたものであるから、請求項１〜４に係る発明の特許は特許法第29条第2項の規定により特許を受けることができない発明に対してされたものであるから、請求項１〜４に係る発明の特許は、取り消されるべきである旨主張している。
　
3．本件発明
　本件請求項に係る発明は特許明細書の特許請求の範囲に記載された以下のとおりのものである。
　
【請求項１】下記一般式化１に示される脂肪酸モノエタノールアマイド系界面活性剤を主成分とする口紅落とし用洗浄剤。
【化１】RCONHCH2CH2O(CH2CH2O)nH
　なお、上記化１中、Ｒはアルキル基を示し、ｎは３〜８の整数である。
【請求項２】請求項１記載の洗浄剤において、下記化２に示すエチレンオキサイド付加ポリプロピレングリコール系界面活性剤を含むことを特徴とする口紅落とし用洗浄剤。
【化２】：HO(C2H4O)a-(C3H6O)b-(C2H4O)cH
　なお、上記化２中a，b，cはそれぞれ整数を示し、a＋c＝5〜200でｂ＝5〜100である。
【請求項３】請求項１又は２記載の洗浄剤において、両性界面活性剤を含むことを特徴とする口紅落とし用洗浄剤。
【請求項４】請求項３記載の洗浄剤において、両性界面活性剤はイミダゾリニウムベタインであることを特徴とする口紅落とし用洗浄剤。
　
４．刊行物の記載事項
　特許異議申立人が提出した各刊行物には以下の事項が記載されている。
(1)刊行物１：特開昭59-210998号公報（甲第１号証）
　1)「ラウリン酸10〜40重量％、オレイン酸10〜50重量％、リノール酸5〜35重量％、リノレイン酸1〜10重量％および他の炭素数6〜24の高級脂肪酸0〜40重量％からなる混合高級脂肪酸のモノエタノールアミドエトキシレートを主成分としてなることを特徴とする洗浄剤基剤。」
　　（特許請求の範囲）
　2)「本発明において、混合高級脂肪酸のモノエタノールアミドエトキシレート．．．．としては、下記一般式
　RCONHCH2CH2O(CH2CH2O)nH　　　(1)
（式中、Rは混合高級脂肪酸の残基、nは１以上の整数である。）
で示すことができる。」（1頁右下欄下7行〜最下行）
　3)「本発明の洗浄基剤はとくに台所用液体洗浄剤や衣料用液体洗浄剤に良好な洗浄力を与えるものである。」（3頁左上欄8-10行）
　
(2)フレグランスジャーナル、通巻92号、42〜46頁
　（フレグランスジャーナル社、昭和63年9月25日発行）（甲第２号証）
　「皮膚洗浄料の洗浄機能を考えるとき、対象となる汚れとしては、
　1)生体由来のもの．．剥離状態にある角質層や微生物や酸化によって変質状態にある皮脂や汗等
　2)外的因子によるもの．．ほこりや塵及び種々の化粧品（主にメイクアップ化粧料）」（43頁右欄15〜20行）
　「今回使用したメイクアップ化粧料は、．．．．．界面活性剤が有効に機能していないと考えられる。これに比べ溶剤型は、まず油性のメイクアップ化粧料をこの溶剤中に溶解させ、．．．．溶剤もろとも乳化分散し除去するものである。そのため汚れと溶剤との相溶性が優れる場合には、非常に弱い力で無理なく除去が可能となる」（44頁左欄29行〜45頁左欄5行）
　
(3) 特開昭61-114728号公報（甲３号証）
　「オレイン酸モノアルカノールアミドのエチレンオキサイド付加物を有効成分として含むことを特徴とする乳化剤。」（請求項１）
　「この発明は油分が変わってその所用HLBが多少変化しても、．．．．優れた乳化力を発揮し、安定なエマルジョンを形成しうる乳化剤を得ることを目的とする。」（2頁右上欄5〜10行）
　
(4)特開平4-298600号公報（甲４号証）
　「製造例１
　N-ラウロイル-N’-(2-ヒドロキシエチル)-N’-（ナトリウムカルボキシエチル）エチレンジアミンの製造　．．．＜以下略＞」（4頁左下欄）
　「実施例23
　　洗顔料
　ミリスチン酸　　　　　　　　24.0重量％
　＜中略＞
　製造例１の組成物　　　　　　 5.0
  ポリオキシエチレン(5)ヤシ油脂肪酸モノエタノールアマイド
　　　　　　　　　　　　　　　 7.0
　＜以下略＞」（7頁、段落【0018】）
　
(5)甲５号証：特開平2-123195
　「次の成分(a)、(b)及び(c)
　(a) アルキルグリコシド
　(b)次の一般式(II)、(III)及び(IV) 
　＜式省略＞で示されるアミド型界面活性剤の1種又は2種以上、
　(c)平均分子量が300〜4000である多価アルコールのポリオキシアルキレンオキシド付加物（但し、多価アルコールがエチレングリコールのときアルキレンオキシドはプロピレンオキシドである）を含有し、．．．であることを特徴とする洗浄剤組成物」（請求項１）
　
５．対比判断
(1)本件請求項１に係る発明について
　本件請求項１に係る発明と、刊行物１に記載された発明とを比較すると、両者はRCONHCH2CH2O(CH2CH2O)nHで示される脂肪酸モノエタノールアマイド系界面活性剤を主成分とする組成物である点では一致するが、前者が口紅落とし用のものであるのに対し、後者が、洗浄剤基剤であって、口紅落とし用に使用することが記載されていない点で相違がある。
　
　刊行物２には、皮膚洗浄料の機能について記載されており、化粧品による汚れの除去の際に汚れと溶剤との相溶性が関連することは示されているが、脂肪酸モノエタノールアマイド系界面活性剤自体及びその口紅落とし用としての効果を推認しうる事項は何ら記載されていない。
　
　刊行物３に記載された発明は、脂肪酸モノエタノールアミドのエチレンオキサイド付加物を有効成分とする乳化剤の発明であって、同刊行物には、当該化合物が安定なエマルジョンを形成することは記載されているが、口紅落としに有用であることは何ら記載されていない。
　
　刊行物４には、N-ラウロイル-N'-(2-ヒドロキシエチル)-N'-（ナトリウムカルボキシエチル）エチレンジアミン及びポリオキシエチレン(5)ヤシ油脂肪酸モノエタノールアマイドを含む洗顔剤が実施例として記載されているが、この洗顔剤が口紅落としに有効であることは記載されていない。
　
　刊行物５には、脂肪酸モノエタノールアミドのエチレンオキサイド付加物を含有する洗浄剤が記載され、シャンプーの実施例が示されているが、該洗浄剤を口紅落としに使用することは記載されていない。
　
　もっとも、特許異議申立人は、刊行物１の洗浄基剤は用途が特定されていないので口紅落とし用の用途を包含するから、請求項１に係る発明は刊行物１に記載された発明である旨主張している。
　しかし、刊行物１に具体的に記載されている洗浄基剤の用途は台所用洗剤あるいは衣料用洗浄剤であって（上記(1)-3)）、口紅落とし用に用いることばかりか、皮膚を対象とする洗浄剤に用いることについてすら記載されていないから、刊行物１の洗浄基剤の用途として口紅落とし用洗浄剤が含まれているということはできない。
　
　また、刊行物２〜５にも、脂肪酸モノエタノールアマイド系界面活性剤を口紅落とし用組成物に使用することを示唆する事項が記載されているということはできない。
　そして、本件請求項１に係る発明は、上記の構成により明細書記載の予測し得ない効果を奏するものと認められるから、請求項１に係る発明は、刊行物１に記載された発明であるとも、また、刊行物１〜刊行物５に記載された発明に基づいて当業者が容易に発明をすることができたものとも認めることができない。
　
(2)請求項２〜４に係る発明は、請求項１に係る発明についてさらに他の成分を包含する等の限定を加えた発明である。
　上記のとおり、請求項１に係る発明が刊行物１に記載された発明でなく、また、刊行物１〜証刊行物５に記載された発明に基づいて当業者が容易に発明をすることができたものでもない以上、同様な理由から、刊行物１〜刊行物５に記載された発明に基づいて当業者が容易に発明をすることができたものとすることはできない。
　
６．むすび
　以上のとおりであるから、特許異議申立の理由及び提出された証拠によっては、本件請求項１〜４に係る発明の特許を取り消すことはできない。
　また、他に本件発明についての特許を取り消すべき理由を発見しない。
　
　よって、結論のとおり決定する。
【異議決定日】
平成１４年９月２０日（２００２．９．２０）